【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
電力コンバーターであって、
前記電力コンバーターの入力に結合された一次巻線と複数の出力巻線とを含む単一磁気コンポーネントであって、
前記複数の出力巻線の各々が、電力を必要とする独立して制御および調節される出力の各々から受信されたフィードバック信号に応答して、前記独立して制御および調節される出力を提供するように結合され、
前記複数の出力巻線がいずれも、前記独立して制御および調節される出力のすべてのための共通戻り線に対して電気的に接続され、
前記独立して制御および調節される出力が、定電流出力もしくは定電圧出力、または、定電流出力と定電圧出力との両方を独立して調節するように結合された、
前記単一磁気コンポーネントと、
前記単一磁気コンポーネントの前記一次巻線に結合された一次側電力スイッチと、
前記一次側電力スイッチを制御して、前記電力コンバーターの前記入力から前記複数の出力巻線に電力パルスを伝達するように結合された一次スイッチ制御ブロックと、
前記共通戻り線に結合された同期整流器スイッチまたは、前記出力巻線の戻り線の一部またはすべてに結合された複数の同期整流器スイッチと、
前記同期整流器スイッチを制御して、前記一次側電力スイッチとスイッチングを同期し、前記一次巻線および前記複数の出力巻線の相補的な伝導を提供するように結合された二次制御ブロックと、
前記独立して制御および調節される出力に、複数の制御される電力パルススイッチを通して、前記複数の出力巻線が結合されるように、前記複数の出力巻線に結合された前記複数の制御される電力パルススイッチであって、
前記独立して制御および調節される出力の各々からの電力パルスの要求が、前記二次制御ブロックを通して前記一次スイッチ制御ブロックに伝達されて、前記一次側電力スイッチをオンに切り替えて、前記電力パルスを、前記複数の出力巻線に、および、前記複数の制御される電力パルススイッチを通して前記独立して制御および調節される出力に、伝達する、
前記複数の制御される電力パルススイッチと、
を備える、前記電力コンバーター。
【請求項２】
前記複数の出力巻線がいずれも、前記独立して制御および調節される出力のすべてのための前記共通戻り線に直列に電気的に接続された、
請求項１に記載の前記電力コンバーター。
【請求項３】
前記複数の出力巻線が、直列巻線、並列巻線、または直列巻線と並列巻線との両方の組み合わせで結合された、
請求項１に記載の前記電力コンバーター。
【請求項４】
定電流（ＣＣ）出力における定電流負荷が、複数の並列な発光ダイオード（ＬＥＤ）列を備える、
請求項１に記載の前記電力コンバーター。
【請求項５】
前記一次スイッチ制御ブロックが、一次グランドを基準として、前記一次側電力スイッチのスイッチングを制御するように結合された、
請求項１に記載の前記電力コンバーター。
【請求項６】
前記一次側電力スイッチのオン切り替えが、前記二次制御ブロックから前記電力パルスの前記要求を受信したことに応答するものであり、前記一次側電力スイッチのオフ切り替えが、傾斜期間変調（ＲＴＭ）エンジンに基づいて、および、一次電流パルスがピーク電流制限値に達したときに、決定される、
請求項５に記載の前記電力コンバーター。
【請求項７】
前記二次制御ブロックが、二次グランドを基準として、前記共通戻り線に結合された前記同期整流器スイッチを駆動するように結合された、
請求項６に記載の前記電力コンバーター。
【請求項８】
前記二次制御ブロックが、ガルバニック絶縁リンクを通した前記一次スイッチ制御ブロックに対する要求パルスを生成するように結合された、
請求項７に記載の前記電力コンバーター。
【請求項９】
前記ガルバニック絶縁リンクが、磁気／誘導リンクである、
請求項８に記載の前記電力コンバーター。
【請求項１０】
前記一次スイッチ制御ブロックが、前記二次制御ブロックから受信された前記要求パルスに応答して、スイッチング駆動パルスを生成するように結合された、
請求項８に記載の前記電力コンバーター。
【請求項１１】
それぞれの前記フィードバック信号および電力需要に応答して、定電圧または定電流をもつように調節される前記独立して制御および調節される出力のすべてを調節するように結合された複出力制御ブロックをさらに備え、
前記複出力制御ブロックが、複出力信号処理およびインターフェース制御ブロックを含む、
請求項１に記載の前記電力コンバーター。
【請求項１２】
ＬＥＤ列に結合された定電流出力にかかる電圧を制御するように、および、前記定電流出力における全電流を調節するように結合された電流シェアリングおよび調光制御ブロックをさらに備え、前記電流シェアリングおよび調光制御ブロックが、前記ＬＥＤ列における電流を等化するようにさらに結合された、
請求項１１に記載の前記電力コンバーター。
【請求項１３】
前記一次スイッチ制御ブロックおよび前記二次制御ブロックが、単一の集積回路に一体化された、
請求項１に記載の前記電力コンバーター。
【請求項１４】
前記一次スイッチ制御ブロックと前記二次制御ブロックと前記複出力制御ブロックとが、単一の集積回路に一体化された、
請求項１１に記載の前記電力コンバーター。
【請求項１５】
前記一次側電力スイッチが、独立した外部の電力スイッチであるか、または、前記一次スイッチ制御ブロック、前記二次制御ブロック、および前記複出力制御ブロックとともに前記単一の集積回路に一体化された、
請求項１４に記載の前記電力コンバーター。
【請求項１６】
前記ＬＥＤ列における前記電流を正確に制御するための、電流源にわたる十分な電圧を提供するために、前記電流シェアリングおよび調光制御ブロックが、前記ＬＥＤ列のアノードにおける電圧を調節する、
請求項１２に記載の前記電力コンバーター。
【請求項１７】
前記電流シェアリングおよび調光制御ブロックが、各前記ＬＥＤ列における電流のアナログ線形制御による前記ＬＥＤ列の調光機能を含む、
請求項１６に記載の前記電力コンバーター。
【請求項１８】
前記電流シェアリングおよび調光制御ブロックが、各前記ＬＥＤ列における電流源に直列に結合されたスイッチのＰＷＭ制御により実施されるＰＷＭ調光を備える、前記ＬＥＤ列の調光機能を含む、
請求項１６に記載の前記電力コンバーター。
【請求項１９】
前記ＰＷＭ調光が、前記ＬＥＤ列の同相調光により実行される、
請求項１８に記載の前記電力コンバーター。
【請求項２０】
前記ＰＷＭ調光は、前記ＬＥＤ列の位相シフトされた調光により実行される、
請求項１８に記載の前記電力コンバーター。
【請求項２１】
前記複出力制御ブロックが、
前記二次制御ブロックとのインターフェースをとるように、および前記二次制御ブロックと信号をやりとりするように結合された前記二次制御ブロックへのインターフェースと、
前記二次制御ブロックへのインターフェースに結合された複出力信号処理ブロックと、
をさらに備え、
前記二次制御ブロックへのインターフェースが、前記複出力信号処理ブロックから複出力の前記電力パルス要求を受信するように、および、前記二次制御ブロックに要求信号を伝達するように結合され、
前記二次制御ブロックへのインターフェースが、電力パルス要求信号の受信を是認する前記二次制御ブロックからの肯定信号を受信するように結合され、一次および二次スイッチにおけるスイッチング動作を同期するために前記複出力制御ブロックに伝達される同期整流器（ＳＲ）の有効化信号と順方向制御（ＦＷＣ）信号とを受信するようにさらに結合される、
請求項１１に記載の前記電力コンバーター。
【請求項２２】
前記複出力信号処理ブロックが、負荷変化に応答して、前記一次スイッチのホールドオフ期間を調整するようにさらに結合された、
請求項２１に記載の前記電力コンバーター。
【請求項２３】
前記複出力信号処理ブロックが、負荷の上昇に応答して、前記一次スイッチの前記ホールドオフ期間を短くするようにさらに結合され、
前記複出力信号処理ブロックが、負荷の低下に応答して、前記一次スイッチの前記ホールドオフ期間を延ばすようにさらに結合された、
請求項２２に記載の前記電力コンバーター。
【請求項２４】
前記複出力信号処理ブロックが、複数の状態を通りながら横断して、前記負荷変化に応答して、前記一次スイッチの前記ホールドオフ期間を変化させるようさらに結合された、
請求項２３に記載の前記電力コンバーター。
【請求項２５】
前記複出力信号処理ブロックが、一次オフ期間が終了する前にトリガーされた前記要求信号に応答して、前記一次スイッチの前記ホールドオフ期間を短くするようにさらに結合され、
前記複出力信号処理ブロックが、前記一次オフ期間が終了する前に前記要求信号がトリガーされないこと応答して、前記一次スイッチの前記ホールドオフ期間を延ばすようにさらに結合された、
請求項２３に記載の前記電力コンバーター。
【請求項２６】
前記複出力信号処理ブロックが、
前記一次スイッチのオン切り替えに応答して、ホールドオフ信号をハイに設定し、タイマーをリセットする工程と、
前記タイマーが目標ホールドオフ期間値に達する前に負荷の変化が検出されたとき、前記ホールドオフ信号をローに設定して、前記目標ホールドオフ期間値を、前記タイマーの関数である第１の値に等しく設定する工程と、
負荷の変化が検出されず、前記タイマーが前記目標ホールドオフ期間値に達しており、および係属中の要求が存在するとき、前記ホールドオフ信号をローに設定し、前記目標ホールドオフ期間値を前記タイマーの関数である第２の値に等しく設定する工程と、
負荷の変化が検出されず、前記タイマーが前記目標ホールドオフ期間値に達しており、係属中の要求が存在せず、新しい要求が発せられたとき、前記ホールドオフ信号をローに設定して、前記目標ホールドオフ期間値を前記タイマーの関数である第３の値に等しく設定する工程と、
を反復するようにさらに結合された、
請求項２３に記載の前記電力コンバーター。